【手続補正書】
【提出日】令和2年6月25日(2020.6.25)
【手続補正１】
【補正対象書類名】特許請求の範囲
【補正対象項目名】全文
【補正方法】変更
【補正の内容】
【特許請求の範囲】
【請求項１】
肌対向面側に位置する透液性の表面シートと、非肌対向面側に位置する不透液性の裏面シートと、前記表面シートと前記裏面シートとの間に位置する吸収体とを含む吸収性物品において、
前記吸収体は、吸液性コアと、前記吸液性コアの少なくとも前記肌対向面側を被覆するコアカバーシートとを有するとともに、前記吸収体を構成する資材がリグニン成分を含み、
前記表面シートを介して前記吸収体を視たとき、Ｌａｂ表色系におけるＬ値、ａ値、およびｂ値が、
０．５≦前記ａ値≦１０．０、
７≦前記ｂ値≦１５、
７０≦前記Ｌ値≦９０、
のいずれの条件も満たすことを特徴とする吸収性物品。
【請求項２】
前記表面シートを介して前記吸液性コアに標準経血を滴下したとき、前記肌対向面側から視た経血吸収領域と経血非吸収領域とにおいて、Ｌａｂ表色系における前記ａ値の差が５０以下であり、前記ｂ値の差が２０以下である請求項１に記載の吸収性物品。
【請求項３】
前記コアカバーシートは、前記吸液性コアの少なくとも前記肌対向面側を被覆する第１被覆部を有し、
前記第１被覆部と前記表面シートとが接着剤を介して互いに接合され、
前記コアカバーシートのリグニン成分の含有率が、前記吸液性コアのリグニン成分の含有率よりも高く、
厚さ方向において、前記表面シートから前記吸液性コアの一部まで連続して延びる複数の凹状部を有する請求項１又は２に記載の吸収性物品。
【請求項４】
前記凹状部は、有底であって、前記表面シート、前記コアカバーシート及び前記吸液性コアの一部が圧縮され、
前記凹状部の底部は、前記凹状部の周辺領域に比べて密度が高くなっている請求項３に記載の吸収性物品。
【請求項５】
前記凹状部は、前記表面シートと前記吸収体とを前記厚さ方向へ貫通する貫通孔である請求項３に記載の吸収性物品。
【請求項６】
前記コアカバーシートのリグニン成分の含有率が、０．２〜１０％である請求項１−５のいずれかに記載の吸収性物品。
【請求項７】
前記コアカバーシートのクレープ率が７〜２０％であって、地合い指数が５０−３００である請求項１〜６のいずれかに記載の吸収性物品。
【請求項８】
前記コアカバーシートは、木材又は非木材のパルプ繊維である請求項１〜７のいずれかに記載の吸収性物品。
【請求項９】
前記吸液性コアが、臭気の吸着性能を有する粒子を含む請求項１〜８のいずれかに記載の吸収性物品。
【請求項１０】
前記表面シートは、コットン繊維を含む請求項１〜９に記載の吸収性物品。
【請求項１１】
前記コアカバーシートのクレム吸水度が前記表面シートのクレム吸水度よりも高い請求項１〜１０のいずれかに記載の吸収性物品。
【請求項１２】
前記表面シートは、複層構造を有し、肌対向面側に位置する層が主として前記コットン繊維から構成されている請求項１０に記載の吸収性物品。
【請求項１３】
前記コットン繊維が、オーガニックコットンである請求項１０又は請求項１２に記載の吸収性物品。
【手続補正２】
【補正対象書類名】明細書
【補正対象項目名】００１２
【補正方法】変更
【補正の内容】
【００１２】
吸収性物品において、前記凹状部は、前記表面シートと前記吸収体とを前記厚さ方向へ貫通する貫通孔である。このため、凹状部の底部には、不透液性の裏面シートが位置するから、凹状部に溜まった排泄物が吸収体の非肌対向面側に漏れ出ることがなく、凹状部の周面部から吸液性コアに排泄物を吸収・保持することができる。前記コアカバーシートのリグニン成分の含有率が、０．２〜１０％である。前記コアカバーシートのクレープ率が７〜２０％であって、地合い指数が５０−３００である。前記コアカバーシートは、木材又は非木材のパルプ繊維である。前記吸液性コアが、臭気の吸着性能を有する粒子を含む。前記表面シートは、コットン繊維を含む。前記コアカバーシートのクレム吸水度が前記表面シートのクレム吸水度よりも高い。前記表面シートは、複層構造を有し、肌対向面側に位置する層が主としてコットン繊維から構成されている。前記コットン繊維が、オーガニックコットンである。
【手続補正３】
【補正対象書類名】明細書
【補正対象項目名】００３７
【補正方法】変更
【補正の内容】
【００３７】
高リグニン域５２は、コアカバーシート２２における周辺域である低リグニン域５１よりもリグニン成分の含有量が高い領域を意味することから、漂白パルプ繊維４１と未漂白パルプ繊維４２とを混在したシートを用いなくても形成することができる。例えば、レーヨン繊維や合成繊維からなる繊維不織布シートにリグニン成分の含有液を散点的に滲入させることによって、周辺域よりもリグニン成分の含有量の高い高リグニン域５２を形成することができる。
【手続補正４】
【補正対象書類名】明細書
【補正対象項目名】００４３
【補正方法】変更
【補正の内容】
【００４３】
また、親水性の低リグニン域５１では、経血を吸収して漂白パルプ繊維が膨潤することによって、表面シート１１とコアカバーシート２２とのホットメルト接着剤を介した接合界面において接合部分が剥離して接合強度が低下するおそれがある。一方、高リグニン域５２は、低リグニン域５１よりも親水性が低く、疎水性であることから、経血を吸収して膨潤し難く、接合部分が剥離することはなく、コアカバーシート２２と表面シート１１との接合界面における接合強度が、低リグニン域５１に比べて高くなる。
【手続補正５】
【補正対象書類名】明細書
【補正対象項目名】００４５
【補正方法】変更
【補正の内容】
【００４５】
加えて、吸液性コア２１は、主としてＳＡＰ粒子と漂白処理したフラッフパルプを含み、オプションとしてセルロース系繊維を有することがあるが、未漂白パルプ繊維４２を含むものではなく、コアカバーシート２２に比してリグニン含有量が低くなっている。そのために、表面シート１１を透過してコアカバーシート２２に吸収、拡散された経血は、コアカバーシート２２に比べて親水度合いの高い吸液性コア２１に引き込まれるように速やかに移行されやすくなる。
【手続補正６】
【補正対象書類名】明細書
【補正対象項目名】００６３
【補正方法】変更
【補正の内容】
【００６３】
また、コアカバーシート２２の全体が、木材等の植物原料由来の薄茶色であるため、表面シート１１を介して吸液性コア２１に人工経血を滴下（５ｍｌ）したとき、肌対向面側から視た経血吸収領域と、吸液性コア２１を含む経血非吸収領域とにおいて、Ｌ＊ａ＊ｂ表色系（Ｌ＊ａ＊ｂ色空間、以下、単に「Ｌａｂと省略する。」）のａ値、ｂ値及びＬ値を測定した。実施例１には、中間シートを有しておらず、コアカバーシートの単位面積当たりの質量が１４ｇ／ｍ２の生理用ナプキン１０を用い、実施例２には、中間シートを有しておらず、コアカバーシートの単位面積当たりの質量が２０ｇ／ｍ２の生理用ナプキン１０を用いた。さらに、これらの実施例１〜２と比較するため、リグニン成分を含むコアカバーシートとリグニン成分を含まない中間シートを有し、コアカバーシートの単位面積当たりの質量が１４ｇ／ｍ２の比較例１のナプキン、リグニン成分を含まない白色のコアカバーシートを用いてあって表面シートにコットンを用いてある比較例２のナプキン、及びリグニン成分を含まない白色のコアカバーシートを用いてあって表面シートにコットンを用いてない比較例３のナプキンにも、同様に、表面シートを介して吸液性コア２１に標準経血を滴下したとき、肌対向面側から視た経血吸収領域と経血非吸収領域とにおいて、Ｌａｂ表色系のａ値、ｂ値及びＬ値を測定した。その実験結果を表１〜表３に示す。なお、人工経血には、イオン水、グリセリン、カルボメチルセルロースナトリウム、塩化ナトリウム、炭酸水素ナトリウム、色素赤１０２号、色素赤２号、色素黄５号（各色素は、株式会社丸紅商会製）を適量混合したものを使用した。
【手続補正７】
【補正対象書類名】明細書
【補正対象項目名】００７１
【補正方法】変更
【補正の内容】
【００７１】
ところで、コアカバーシート２２の全体が、木材等の植物原料由来の薄茶色であり、吸収体２０が薄茶色である一方、ウイング部１８は白色である。そこで、吸液性コア２１を含む吸収体２０と、吸収体２０を含まないウイング部１８において、Ｌａｂ表色系のａ値を測定した。実施例１には、中間シートを有しておらず、コアカバーシートの単位面積当たりの質量が１４ｇ／ｍ２の生理用ナプキン１０を用いた。さらに、実施例１と比較するため、リグニン成分を含まないコアカバーシートをそれぞれ用いてある比較例１〜３のナプキンも、同様に、吸液性コア２１を含む吸収体２０と、吸収体２０を含まないウイング部１８において、Ｌａｂ表色系のａ値を測定した。その実験結果を表４に示す。なお、試料であるナプキンの上に標準白板を被せて光線を下からあててａ値を測定した。これは、ウイング部１８は、光を透過し、ナプキンの背面側の色によって測定結果が異なることを防止するためである。
【手続補正８】
【補正対象書類名】明細書
【補正対象項目名】００７９
【補正方法】変更
【補正の内容】
【００７９】
図８（ｂ）は、第２実施形態に係る生理用ナプキン１０の変形例における、図８（ａ）と同様の断面図である。
【手続補正９】
【補正対象書類名】明細書
【補正対象項目名】００８０
【補正方法】変更
【補正の内容】
【００８０】
図８（ｂ）を参照すると、本変形例に係る凹状部６０は、吸液層１３を厚さ方向Ｚへ貫通する開口から形成される。凹状部６０の底面には、不透液性の裏面シート１２が位置することから、貫通開口に溜まった体液は外部に漏れ出ることはなく、開口の周面壁から吸収体２０に吸収、保持される。